(57)【特許請求の範囲】
【請求項１】
水平横方向に長く上下縦方向に短い細長の空気吹出口を有し、該空気吹出口の内側前部に該水平横方向に沿って前可動ルーバが配設され、該空気吹出口は上部を上流側に後退させ下部を下流側に突き出すように傾斜して形成されたレジスタにおいて、
該前可動ルーバは１枚の中央横フィンを該空気吹出口内側の略上下中央に該水平横方向に向け回動可能に軸支する一方、該空気吹出口内側の上壁面に設けた収納凹部に上補助横フィンを収納可能に且つ該水平横方向に向けて回動可能に軸支し、該空気吹出口内側の下壁面に設けた収納凹部に下補助横フィンを収納可能に該水平横方向に向けて回動可能に軸支して構成され、
該中央横フィンは両側の略中央に突設した支軸により回動可能に軸支され、該上補助横フィン及び下補助横フィンは下流側端部を流路側に迫り出すように回動可能に軸支され、該中央横フィンを下側に振ったとき、該下補助横フィンは下流側端部を流路側に向けて迫り出し、且つ該下流側端部を該中央横フィンの下面に当接させる如く接近させ、該中央横フィンと該下補助横フィン間を通過して前方に直進する空気流を阻止することを特徴とするレジスタ。
【請求項２】
前記前可動ルーバの前記下補助横フィンは前記上補助横フィンより下流側位置に配置され、該下補助横フィンの支軸の前後位置は、前記中央横フィンの支軸と略同じ位置に配置されることを特徴とする請求項１記載のレジスタ。
【請求項３】
上下縦方向に長く水平横方向に短い細長の空気吹出口を有し、該空気吹出口の内側前部に該上下縦方向に沿って前可動ルーバが配設され、該空気吹出口は一方の側部を上流側に後退させ他方の側部を下流側に突き出すように傾斜して形成されたレジスタにおいて、
該前可動ルーバは１枚の中央縦フィンを該空気吹出口内側の略左右中央に該上下縦方向に向け回動可能に軸支する一方、該空気吹出口内側の後退側の側壁面に設けた収納凹部に後退側補助縦フィンを収納可能に且つ該上下縦方向に向けて回動可能に軸支し、該空気吹出口内側の突出側の側壁面に設けた収納凹部に突出側補助縦フィンを収納可能に該上下縦方向に向けて回動可能に軸支して構成され、
該中央縦フィンは略左右中央に突設した両側の支軸により回動可能に軸支され、該後退側補助縦フィン及び該突出側補助縦フィンは、下流側端部を流路側に迫り出すように回動可能に軸支され、該中央縦フィンを該空気吹出口の突出側に振ったとき、該突出側補助縦フィンは下流側端部を流路側に向けて迫り出し、且つ該下流側端部を該中央縦フィンの側面に当接させる如く接近させ、該中央縦フィンと該突出側補助縦フィン間を通過して前方に直進する空気流を阻止することを特徴とするレジスタ。
【請求項４】
前記前可動ルーバの前記突出側補助縦フィンは前記後退側補助縦フィンより下流側位置に配置され、該突出側補助縦フィンの支軸の前後位置は、前記中央縦フィンの支軸と略同じ位置に配置されることを特徴とする請求項３記載のレジスタ。
【発明の詳細な説明】
【技術分野】
【０００１】
本発明は、自動車等の空調の空気吹出口に使用される空気吹出調整用のレジスタに関し、特に長手方向に長く短手方向に短い細長で短手方向に傾斜した空気吹出口を有するレジスタに関する。【０００２】
自動車等の空調の空気吹出口に使用される空気吹出調整用のレジスタとして、通風路を形成するベゼルまたはリテーナ内に、横可動ルーバと縦可動ルーバを直交方向に前後して配設し、ベゼルに設けた空気吹出口から空気を吹き出す際、横可動ルーバ、縦可動ルーバの各フィンの角度を変えて空気の吹出し方向を上下左右に調整するレジスタが、一般に、自動車の空調装置などで使用されている。【０００３】
この種のレジスタとして、長手方向に長く短手方向に短い細長の長方形状の空気吹出口を有し、空気吹出口の内側に１〜３枚程度の少数の可動フィンを設けた所謂薄型のレジスタが、主として意匠性やデザイン的なデマンドから、自動車の室内に設置される場合がある（例えば特許文献１等参照）。
【先行技術文献】
【特許文献】
【０００４】
【特許文献１】特開２００２−１０３９５４号公報
【特許文献２】特開２００４−２１０１１１号公報
【発明の概要】
【発明が解決しようとする課題】
【０００５】
一方、自動車の空調用に使用されるレジスタは、通常、インストルメントパネルの前面に開口して設置されるが、そこに設置されるディスプレイ、操作パネルなどとの関連で、薄型レジスタの位置が、ダッシュボード近傍のインストルメントパネル上部に配置される場合がある。例えばインストルメントパネル上部のダッシュボード近傍にレジスタが配置されるような場合、インストルメントパネル上部のダッシュボード上面の傾斜面に合わせるように、レジスタの空気吹出口は、その上部を上流側に後退させ、その下部を下流側に突出させた傾斜状に形成される（例えば特許文献２等を参照）。【０００６】
このようなレジスタは、長手方向に長く短手方向に短い長方形で短手方向に傾斜した空気吹出口を有し、その空気吹出口はトータル的なデザインによっては、レジスタの前面の傾斜つまり空気吹出口の垂直面に対する傾斜角度が大きくなる（水平面に対する傾斜角度が小さくなる）場合がある。【０００７】
しかし、薄型レジスタで且つ空気吹出口前面の傾斜が大きいレジスタでは、その傾斜側に（下側に）前フィンを振った場合、下側の空気流が空気吹出口の下壁面に沿って真直ぐ正面に吹出されるため、斜め下方に向かう空気流と干渉し、これにより、下方への送風時の風の指向性が悪化しやすく、空気吹出口前面の垂直面に対する傾斜角度が大きくなるほど、下向き送風の指向性が悪化する課題があった。【０００８】
本発明は、上述の課題を解決するものであり、長手方向に長く短手方向に短い細長で短手方向に傾斜した空気吹出口を有するレジスタにおいて、前可動ルーバを空気吹出口の傾斜側に振ったときの風の指向性を向上させることができるレジスタを提供することを目的とする。
【課題を解決するための手段】
【０００９】
本発明に係るレジスタは、水平横方向に長く上下縦方向に短い細長の空気吹出口を有し、該空気吹出口の内側前部に該水平横方向に沿って前可動ルーバが配設され、該空気吹出口は上部を上流側に後退させ下部を下流側に突き出すように傾斜して形成されたレジスタにおいて、該前可動ルーバは１枚の中央横フィンを該空気吹出口内側の略上下中央に該水平横方向に向け回動可能に軸支する一方、該空気吹出口内側の上壁面に設けた収納凹部に上補助横フィンを収納可能に且つ該水平横方向に向けて回動可能に軸支し、該空気吹出口内側の下壁面に設けた収納凹部に下補助横フィンを収納可能に該水平横方向に向けて回動可能に軸支して構成され、該中央横フィンは両側の略中央に突設した支軸により回動可能に軸支され、該上補助横フィン及び下補助横フィンは下流側端部を流路側に迫り出すように回動可能に軸支され、該中央横フィンを下側に振ったとき、該下補助横フィンは下流側端部を流路側に向けて迫り出し、且つ該下流側端部を該中央横フィンの下面に当接させる如く接近させ、該中央横フィンと該下補助横フィン間を通過して前方に直進する空気流を阻止することを特徴とする。【００１０】
なお、ここで、上流側、下流側とは流路を流れる空気流の上流側または下流側を意味し、各部材において、前部は下流側の部位、後部は上流側の部位を意味する。また、上、下、右、または左は、レジスタの空気吹出口の正面視における、上、下、右、或いは左を意味している。【００１１】
この発明によれば、前可動ルーバを上側に振った場合、中央横フィンが斜め上方を向くとともに、上補助横フィンがその下流側端部を流路側に迫り出すように回動し、流路の上部を通過する空気流を上補助横フィンによって中央横フィン側に押し付けるように作用するので、中央横フィンの上面に押し付けられた空気流が中央横フィンにより良好にガイドされて上方に送風することができる。【００１２】
一方、前可動ルーバを下側に振った場合には、中央横フィンが斜め下方を向くとともに、上補助横フィンと下補助横フィンが下流側端部を流路側に向けて迫り出すように回動するため、上下幅の短い薄型レジスタであっても、上補助横フィンと中央横フィンとの間からフィンによって良好にガイドされた空気流を下方に送風することができ、このとき、中央横フィンの下側を通過して前方に直進する空気流は下補助横フィンによって阻止されるので、下方への送風の指向性を向上させることができる。【００１３】
ここで、上記前可動ルーバの下補助横フィンは上補助横フィンより下流側位置に配置され、該下補助横フィンの支軸の前後位置は、上記中央横フィンの支軸と略同じ位置に配置されることが好ましい。【００１４】
さらに、他の発明のレジスタは、上下縦方向に、長く水平横方向に短い細長の空気吹出口を有し、該空気吹出口の内側前部に該上下縦方向に沿って前可動ルーバが配設され、該空気吹出口は一方の側部を上流側に後退させ他方の側部を下流側に突き出すように傾斜して形成されたレジスタにおいて、該前可動ルーバは１枚の中央縦フィンを該空気吹出口内側の略左右中央に該上下縦方向に向け回動可能に軸支する一方、該空気吹出口内側の後退側の側壁面に設けた収納凹部に後退側補助縦フィンを収納可能に且つ該上下縦方向に向けて回動可能に軸支し、該空気吹出口内側の突出側の側壁面に設けた収納凹部に突出側補助縦フィンを収納可能に該上下縦方向に向けて回動可能に軸支して構成され、該中央縦フィンは略左右中央に突設した両側の支軸により回動可能に軸支され、該後退側補助縦フィン及び該突出側補助縦フィンは、下流側端部を流路側に迫り出すように回動可能に軸支され、該中央縦フィンを該空気吹出口の突出側に振ったとき、該突出側補助縦フィンは下流側端部を流路側に向けて迫り出し、且つ該下流側端部を該中央縦フィンの側面に当接させる如く接近させ、該中央縦フィンと該突出側補助縦フィン間を通過して前方に直進する空気流を阻止することを特徴とする。【００１５】
この発明によれば、前可動ルーバを空気吹出口の斜め左右方向の後退側に振った場合、中央縦フィンが斜め後退側を向くとともに、後退側補助縦フィンがその下流側端部を流路側に迫り出すように回動し、流路の後退側を通過する空気流を後退側補助縦フィンによって中央縦フィン側に押し付けるように作用するので、中央縦フィンの側面に押し付けられた空気流が中央縦フィンにより良好にガイドされて左右側方に送風することができる。【００１６】
一方、前可動ルーバを空気吹出口の斜め左右方向の突出側に振った場合には、中央縦フィンが斜め左右方向の突出側を向くとともに、突出側補助縦フィンと後退側補助縦フィンが下流側端部を流路側に向けて迫り出すように回動するため、左右幅の短い薄型レジスタであっても、後退側補助縦フィンと中央縦フィンとの間からフィンによって良好にガイドされた空気流を斜め側方に送風することができ、このとき、中央縦フィンの突出側を通過して前方に直進する空気流は突出補助縦フィンによって阻止されるので、斜め側方への送風の指向性を向上させることができる。
【発明の効果】
【００２６】
本発明のレジスタによれば、長手方向に長く短手方向に短い細長で短手方向に傾斜した空気吹出口を有するレジスタであっても、前可動フィンを空気吹出口の傾斜側に振ったときの風の指向性を向上させることができる。
【図面の簡単な説明】
【００２７】
【図１】本発明の第１実施形態を示すレジスタの正面図である。
【図２】図１のII-II断面図である。
【図３】図１のIII-III断面図である。
【図４】フィン回動機構を示す斜視図である。
【図５】前可動ルーバを上に振ったときの断面図である。
【図６】前可動ルーバを下に振ったときの断面図である。
【図７】第２実施形態のレジスタの正面図である。
【図８】図７のレジスタのVIII-VIII断面図である。
【図９】第３実施形態のレジスタの正面図である。
【図１０】同レジスタのX-X断面図である。
【図１１】前可動ルーバを上に振ったときの断面図である。
【図１２】前可動ルーバを下に振ったときの断面図である。
【図１３】第４実施形態のレジスタの正面図である。
【図１４】同レジスタのXIV-XIV断面図である。
【発明を実施するための形態】
【００２８】
以下、本発明の一実施形態を図面に基づいて説明する。図１〜図６は第１実施形態のレジスタを示しており、自動車のインストルメントパネルに装着される薄型のレジスタである。レジスタの正面には、横長長方形の空気吹出口１５を開口形成したベゼル１が取り付けられ、空気吹出口１５は、図１に示すように、横長の長方形状に形成され、長手方向（水平横方向）に長く短手方向（上下縦方向）に短い横長の長方形に形成されている。また、レジスタ正面の空気吹出口１５は、図２に示すように、その上部を上流側に後退させ下部を下流側に突き出すように短手方向に傾斜して形成される。つまり、空気吹出口１５の前面は、その短手方向の垂直面に対し斜め下側に約４５度の角度で傾斜し、所謂薄型で且つスラント形状となっている。
【００２９】
ベゼル１の背面側にはリテーナ２に連結するための図示しない嵌合部が設けられ、その嵌合部にダクト状のリテーナ２が嵌合・接続される。ベゼル１の空気吹出口１５内側の左右側壁には、前可動ルーバ３用の軸受部が形成され、両側の軸受部には、前可動ルーバ３の中央横フィン７の両側端部に突出した支軸７ａが支持され、同様に、上補助横フィン８の両側端部に突出した支軸８ａ、及び下補助横フィン９の両側に突出した支軸９ａが、各々支持され、中央横フィン７、上補助横フィン８、及び下補助横フィン９は所定の角度範囲で上下に回動可能となっている。
【００３０】
リテーナ２は、その横断面形状が空気吹出口１５と同様の横長の長方形状となるダクト状に形成され、内部に通風用の流路５が形成されている。リテーナ２の下流側縁部の上壁と下壁に軸受部が所定間隔で形成され、それらの軸受部に図２，３に示すように後可動ルーバ４の縦フィン４ａが支軸４ｂにより軸支され、各縦フィン４ａは所定の角度範囲で左右に連動して回動するようになっている。このリテーナ２の前部に、正面に略長方形の空気吹出口１５を開口形成したベゼル１が、その空気吹出口１５を流路５の開口部に合わせた状態で嵌着され、流路５はリテーナ２内からベゼル１の空気吹出口１５まで連通して形成される。
【００３１】
前可動ルーバ３は、上下に回動調整可能な１枚の中央横フィン７と、中央横フィン７の上方と下方位置に配設され、中央横フィン７の回動操作に応じて上下に回動する上補助横フィン８及び下補助横フィン９と、中央横フィン７の回動に連動して上補助横フィン８及び下補助横フィン９を回動させるフィン回動機構１０と、を備えて構成される。
【００３２】
中央横フィン７は、両端に支軸７ａを突設し、図１、図３に示すように、一方の支軸７ａは流路５の側壁を貫通して外側に突出し、その支軸７ａの先端にクランク１１が軸着される。図２に示すように、中央横フィン７の支軸７ａは平面視でフィンの略中央に位置し、上補助横フィン８及び下補助横フィン９の支軸８ａ，９ａの位置は、平面視で各フィンの下流側端部に位置する。これにより、中央横フィン７を上方にまたは下方に振った（回動した）とき、中央横フィン７の上流側端部と下流側端部は略均等に上方にまたは下方に向き、上補助横フィン８及び下補助横フィン９は回動時、その下流側端部が流路５側に迫り出す構造となっている。
【００３３】
図２に示すように、上補助横フィン８は流路５内の上壁面に近接して配置される一方、その上壁面には収納凹部６ａが形成され、その収納凹部６ａ内に上補助横フィン８が水平状態で収納されるようになっている。また、下補助横フィン９は流路５内の下壁面に近接して配置される一方、その下壁面には収納凹部６ｂが形成され、その収納凹部６ｂ内に下補助横フィン９が水平状態で収納されるようになっている。上補助横フィン８と下補助横フィン９はその前後方向の幅が、中央横フィン７の前後方向の幅の約１／２と短く形成される。
【００３４】
つまり、中央横フィン７の前後幅は上補助横フィン８、下補助横フィン９の前後幅の約２倍と長く幅広に形成され、さらに、中央横フィン７は、その平面視で、その上流側半部が上補助横フィン８に重なり合い、中央横フィン７の下流側半部が下補助横フィン９に重なり合う形態となっている。これにより、上補助横フィン８と下補助横フィン９は中央横フィン７の上方または下方位置で、水平状態からその下流側縁部を流路５側に迫り出すように、回動可能に軸支される。
【００３５】
図５、図６に示すように、上補助横フィン８の支軸８ａは上補助横フィン８の上流側縁部近傍の両側に突設され、下補助横フィン９の支軸９ａは下補助横フィン９の上流側縁部近傍の両側に突設され、それらの位置は上補助横フィン８の支軸８ａが中央横フィン７の支軸７ａより上流側に位置し、下補助横フィン９の支軸９ａの位置は、中央横フィン７の支軸７ａとは平面視で略同じ位置となっている。
【００３６】
これにより、図５に示すように、中央横フィン７を上に回動させて上方に振り、下補助横フィン９を上に回動させて上方に振ったとき、中央横フィン７と下補助横フィン９は略平行となり、図６のように、中央横フィン７を下方に振り、上補助横フィン８を下方に振ったとき、中央横フィン７と上補助横フィン８は略平行となるように動作する。
【００３７】
上記の如く中央横フィン７を上方にまたは下方に振ったとき、上補助横フィン８と下補助横フィン９に対し、上記のように連動させるために、ベゼル１の左側面外側にフィン回動機構１０が設けられる。フィン回動機構１０は、上述の中央横フィン７の支軸７ａに軸着されたクランク１１と、上補助横フィン８の支軸８ａに軸着された第１カム部材１３と、下補助横フィン９の支軸９ａに軸着された第２カム部材１４とから構成される。
【００３８】
第１カム部材１３内には、図４に示すように、略くの字状に曲折した長孔状のカム溝１３ａが形成され、第２カム部材１４内には同様のカム溝１４ａが形成される。これらのカム溝１３ａ，１４ａは貫通孔として形成されている。さらに、図４に示すように、中央横フィン７の支軸７ａに軸着されたクランク１１の先端部には、クランク軸１２が突設されるが、このクランク軸１２は、第１カム部材１３のカム溝１３ａと第２カム部材１４のカム溝１４ａの両方に挿入されて組み付けられる。
【００３９】
フィン回動機構１０の動作により連動して回動する上補助横フィン８と下補助横フィン９は、中央横フィン７の上下方向の向きを、図２のように真直ぐ正面を向けて水平方向としたとき、クランク１１、第１カム部材１３、第２カム部材１４の作用により、水平姿勢となって各々収納凹部６ａ、６ｂに収納された状態となる。また、中央横フィン７を図５のように上側に回動させたとき、つまり中央横フィン７の向きを上方に振ったとき、下補助横フィン９の向きが同様に上側に回動し、上補助横フィン８の向きが下側に回動する。一方、中央横フィン７を図６のように下側に回動させたとき、つまり中央横フィン７の向きを下方に振ったとき、上補助横フィン８の向きが同様に下側に回動し、下補助横フィン９の向きが上側に回動する。つまり、中央横フィン７の向きを上方、下方の何れに振ったときでも、上補助横フィン８と下補助横フィン９は、その下流側縁部を流路５内に迫り出すように回動するようになっている。
【００４０】
前可動ルーバ３の上流側の流路５内に後可動ルーバ４が配設される。後可動ルーバ４には、複数の縦フィン４ａが左右に一定の間隔をおいて縦に並設される。各縦フィン４ａは上部と下部に支軸４ｂが突設され、上下の支軸４ｂは流路５の上壁と下壁に設けた軸受部に軸支され、左右に回動可能に支持されている。
【００４１】
上記中央横フィン７には、図１に示すように、操作ノブ１６が左右長手方向に摺動可能に外嵌され、操作ノブ１６を把持して中央横フィン７を上下方向に回動操作可能とし、且つ操作ノブ１６を左右方向に摺動させることにより、後可動ルーバ４を左右に振って、左右への風向を変える構造となっている。
【００４２】
このために、図３に示すように、連係部として操作ノブ１６の後部にラック部１６ａが設けられ、後可動ルーバ４の１枚の縦フィン４ａに扇状の歯車部１６ｂが設けられ、ラック部１６ａと歯車部１６ｂが噛合し、操作ノブ１６をスライド操作したとき、縦フィン４ａが回動する。また、その縦フィン４ａを含む全ての縦フィン４ａの支軸４ｂには、図示しないクランクが軸着され、各クランクのクランク軸が１本のリンクバーにより相互に連結される。これにより、操作ノブ１６を中央横フィン７上で左右に摺動させたとき、後可動ルーバ４の各縦フィン４ａが連動して左右に回動し、風向を左右に調整する構造である。
【００４３】
次に、上記構成のレジスタの動作を、図２、５，６に基づいて説明する。レジスタは、自動車の車内のインストルメントパネルやダッシュボードの部分に、背面側の空気導入口を図示しない通風ダクトに接続して装着される。レジスタの空気吹出口１５はインストルメントパネルやダッシュボードの前面に露出するが、空気吹出口１５の上部が上流側に後退し、下部が下流側に突出するように傾斜しているため、インストルメントパネルまたはダッシュボードの傾斜形状に対し、デザイン的に合わせることができ、また、薄型レジスタの空気吹出口１５は非常に細長くシンプルにデザインされるので、その前面の意匠はインストルメントパネルやダッシュボードに設けられるディスプレイや操作パネルと、デザインに良好にマッチさせることができる。
【００４４】
レジスタの正面に真直ぐ送風を行なう場合、図２のように、前可動ルーバ３の中央横フィン７は水平状態つまり真直ぐ前方を向く状態とする。この状態では、上補助横フィン８と下補助横フィン９は共に水平状態を保持し、流路５の上壁面と下壁面の収納凹部６ａ、６ｂ内に収納されている。したがって、流路５を流れる空気流は、上補助横フィン８と下補助横フィン９による空気抵抗を殆ど受けることなく、中央横フィン７の向く水平前方向に、非常に少ない圧力損失で送風される。これにより、通常の３枚の横フィンを空気吹出口に並設したレジスタに比べ、水平調整時の圧力損失を少なくすることができる。
【００４５】
一方、上記のように中央横フィン７が水平状態にあるとき、操作ノブ１６を操作して、図５のように、中央横フィン７を上向きに回動させると、フィン回動機構１０のクランク１１、第１カム部材１３及び第２カム部材１４の動作により、上補助横フィン８と下補助横フィン９が、その下流側端部を流路５の内側に迫り出すように回動し、上補助横フィン８は斜め下方を向き、下補助横フィン９は斜め上方を向くよう回動する。
【００４６】
これにより、流路５から空気吹出口１５に向かって流れる空気流は、図５に示すように、上補助横フィン８と下補助横フィン９によって流路５の上下中央付近に集められ、特に、流路５の上部を流れる空気流は斜め下方を向く上補助横フィン８によって中央横フィン７の近傍に集まり、中央横フィン７の近傍に集められた空気流は、中央横フィン７に沿って流れ、中央横フィン７の向く斜め上方に向けて送風される。
【００４７】
また、図５のように、下補助横フィン９は中央横フィン７と同じ斜め上方に向くため、中央横フィン７と下補助横フィン９間を通過する空気流を効率良く斜め上方に送風することができ、また、下補助横フィン９は収納凹部６ｂから上方に迫り出すように斜め上方を向くため、下壁面との隙間を真直ぐ正面に流れる空気流は殆ど生じない。
【００４８】
同様に、上補助横フィン８は、収納凹部６ａ下方に回動して、その下流側端部を流路５の内側に迫り出すように動作し、流路５を流れる空気流を中央横フィン７の周囲近傍に集めるため、中央横フィン７に沿った空気流を生成し、流路５の上壁面と上補助横フィン８の隙間を真直ぐ正面に流れる空気流は殆ど生じない。
【００４９】
このため、通常の３枚の横フィンを設けたレジスタのように、中央横フィン７に沿って流れる空気流は乱されることなく、スムーズに流れ、前可動ルーバ３の中央横フィン７を上に振ったときの指向性を大幅に向上させることができる。
【００５０】
他方、中央横フィン７が水平状態にあるとき、操作ノブ１６を操作して、図６のように中央横フィン７を下向きに回動させると、上記と同様、フィン回動機構１０のクランク１１、第１カム部材１３及び第２カム部材１４の動作により、上補助横フィン８と下補助横フィン９が、その下流側端部を流路５の内側に迫り出すように回動し、上補助横フィン８は中央横フィン７とともに斜め下方を向き、下補助横フィン９は斜め上方を向くよう回動する。
【００５１】
これにより、流路５から空気吹出口１５に向かって流れる空気流、特に流路５の上部を流れる空気流は、上補助横フィン８により内側にガイドされて中央横フィン７側に集まるとともに、中央横フィン７に沿って流れ、上補助横フィン８と中央横フィン７の間を通過し、中央横フィン７の向く斜め下方に向けて送風される。
【００５２】
このとき、図６のように、上補助横フィン８は収納凹部６ａから流路５側に斜め下方に迫り出す状態となるので、流路５の上壁面と上補助横フィン８の隙間を真直ぐ正面に流れる空気流は殆ど生じず、中央横フィン７により良好に空気流が斜め下方にガイドされ、送風される。
【００５３】
一方、下補助横フィン９は、上方に回動して、その下流側端部を流路５の内側に迫り出すように動作し、フィンの先端を中央横フィン７の下面に当接させる如く接近する。これにより、図６のように、流路５の下壁面と下補助横フィン９近傍を真直ぐ正面に流れる空気流が阻止され、中央横フィン７に沿って下方に向けて送風される空気流を乱すような影響を与えない。
【００５４】
このため、上記と同様に、中央横フィン７を下方に振ったときも、通常の３枚の横フィンを設けたレジスタのように、中央横フィン７に沿って流れる空気流は乱されることなく良好に流れ、下側に傾斜した空気吹出口１５を有するレジスタであっても、前可動ルーバ３の中央横フィン７を下に振ったときの風の指向性を大幅に向上させることができる。
【００５５】
このように、前可動ルーバ３を上側に振った場合、中央横フィン７が斜め上方を向くとともに、上補助横フィン８がその下流側端部を流路５側に迫り出すように回動し、流路５の上部を通過する空気流を上補助横フィン８によって中央横フィン７側に押し付けるように作用するので、中央横フィン７の上面に押し付けられた空気流が中央横フィン７により良好にガイドされて上方に送風することができる。
【００５６】
また、前可動ルーバ３を下側に振った場合、中央横フィン７が斜め下方を向くとともに、上補助横フィン８と下補助横フィン９が下流側端部を流路５側に向けて迫り出すように回動するため、上補助横フィン８と中央横フィン７との間からフィンによって良好にガイドされた空気流を下方に送風することができ、このとき、中央横フィン７の下側を通過して前方に直進する空気流は下補助横フィン９によって阻止されるので、下側に傾斜した空気吹出口１５を有したレジスタであっても、斜め下方への送風の指向性を向上させることができる。
【００５７】
一方、風向を左右に変える場合、中央横フィン７上の操作ノブ１６をスライド操作して、後可動ルーバ４の縦フィン４ａの向きを左右に回動させる。これにより、後可動ルーバ４の各縦フィン４ａが左右に回動してその向きを変え、空気吹出口１５から送風される風の方向が右または左に調整される。
【００５８】
図７、図８は第２実施形態のレジスタを示している。このレジスタは、同図に示すように、その前面形状を、上記第１実施形態のレジスタを９０度横転させた形状としており、上下縦方向に長く水平横方向に短い長方形の空気吹出口２６を有し、空気吹出口２６の内側前部に、上下縦方向に沿って前可動ルーバ２３が配設され、空気吹出口２６は一方（右側）の側部を上流側に後退させ他方（左側）の側部を下流側に突き出すように傾斜している。なお、上記レジスタと同様な構成部分については、図７，８に上記と同じ符号を付してその説明は省略する。
【００５９】
図７，８に示す如く、前可動ルーバ２３は１枚の中央縦フィン２７を空気吹出口２６内側の略左右中央に、上下縦方向に向け回動可能に軸支する一方、空気吹出口２６内の後退側の側壁面に設けた収納凹部６ａに後退側補助縦フィン２８が収納可能に且つ上下縦方向に向けて回動可能に軸支される。同様に、空気吹出口２６内の突出側の側壁面に設けた収納凹部６ｂには、突出側補助縦フィン２９が収納可能に上下縦方向に向けて回動可能に軸支される。
【００６０】
中央縦フィン２７は略左右中央で上部と下部に突設した支軸２７ａにより回動可能に軸支される。後退側補助縦フィン２８及び突出側補助縦フィン２９は、下流側端部を流路側に迫り出すように回動可能に軸支される。また、前可動ルーバ２３の突出側補助縦フィン２９は後退側補助縦フィン２８より下流側位置に配置され、突出側補助縦フィン２９の支軸２９ａの前後位置は、中央縦フィン２７の支軸２７ａと略同じ位置に配置される。後退側補助縦フィン２８の支軸２８ａの前後位置は、突出側補助縦フィン２９より上流側の、中央縦フィン２７の上流側端部と略同じ位置に配置される。
【００６１】
この前可動ルーバ２３は、中央縦フィン２７を空気吹出口２６の突出側（左側）に振ったとき、突出側補助縦フィン２９が下流側端部を流路側に向けて迫り出し、中央縦フィン２７と突出側補助縦フィン２９間を通過して前方に直進する空気流を阻止するように構成される。
【００６２】
レジスタの正面に真直ぐ送風を行なう場合、図７，８のように、前可動ルーバ２３の中央縦フィン２７は真直ぐ前方を向く状態とする。この状態では、後退側補助縦フィン２８と突出側補助縦フィン２９は共に流路５と平行状態を保持し、流路５の側壁面の収納凹部６ａ、６ｂ内に収納される。したがって、流路５を流れる空気流は、後退側補助縦フィン２８と突出側補助縦フィン２９による空気抵抗を殆ど受けることなく、中央縦フィン２７の向く前方向に、非常に少ない圧力損失で送風される。これにより、通常の３枚の横フィンを空気吹出口に並設したレジスタに比べ圧力損失を少なくすることができる。
【００６３】
一方、操作ノブ１６を操作して、図８のように、中央縦フィン２７を向かって右側（空気吹出口２６の後退側）に回動させると、フィン回動機構１０のクランク１１、第１カム部材１３及び第２カム部材１４の動作により、後退側補助縦フィン２８と突出側補助縦フィン２９が、その下流側端部を流路５の内側に迫り出すように回動し、後退側補助縦フィン２８は斜め左側を向き、突出側補助縦フィン２９は斜め右側を向くよう回動する。
【００６４】
これにより、流路５から空気吹出口２６に向かって流れる空気流は、後退側補助縦フィン２８と突出側補助縦フィン２９によって流路５の中央付近に集められ、特に、流路５内の右側を流れる空気流は斜め左側を向く後退側補助縦フィン２８によって中央縦フィン２７の近傍に集まり、中央縦フィン２７の近傍に集められた空気流は、中央縦フィン２７に沿って流れ、中央縦フィン２７の向く斜め右側に向けて送風される。
【００６５】
また、突出側補助縦フィン２９は中央縦フィン２７と同じ斜め右側に向くため、中央縦フィン２７と後退側補助縦フィン２８間を通過する空気流を効率良く斜め右側に送風することができ、また、突出側補助縦フィン２９は収納凹部６ｂから右側に迫り出すように斜め右側を向くため、側壁面との隙間を真直ぐ正面に流れる空気流は殆ど生じない。
【００６６】
一方、後退側補助縦フィン２８は、収納凹部６ａから左側に回動して、その下流側端部を流路５の内側に迫り出すように動作し、流路５を流れる空気流を中央縦フィン２７の周囲近傍に集めるため、中央縦フィン２７に沿った空気流を生成し、流路５の側壁面と後退側補助縦フィン２８の隙間を真直ぐ正面に流れる空気流は殆ど生じない。
【００６７】
このため、通常の３枚の横フィンを設けたレジスタのように、中央縦フィン２７に沿って流れる空気流は乱されることなく、スムーズに流れ、前可動ルーバ３の中央縦フィン２７を上に振ったときの指向性を大幅に向上させることができる。
【００６８】
他方、操作ノブ１６を操作して、図８のように、中央縦フィン２７を向かって左側（空気吹出口の突出側）に回動させると、フィン回動機構１０のクランク１１、第１カム部材１３及び第２カム部材１４の動作により、後退側補助縦フィン２８と突出側補助縦フィン２９が、その下流側端部を流路５の内側に迫り出すように回動し、後退側補助縦フィン２８は中央縦フィン２７とともに斜め左側を向き、突出側補助縦フィン２９は斜め右側を向くよう回動する。
【００６９】
これにより、流路５から空気吹出口２６に向かって流れる空気流、特に流路５の右側を流れる空気流は、後退側補助縦フィン２８により内側にガイドされて中央縦フィン２７側に集まるとともに、中央縦フィン２７に沿って流れ、後退側補助縦フィン２８と中央縦フィン２７の間を通過し、中央縦フィン２７の向く斜め左側に向けて送風される。
【００７０】
このとき、後退側補助縦フィン２８は収納凹部６ａから流路５側に斜め左側に迫り出す状態となるので、流路５の側壁面と後退側補助縦フィン２８の隙間を真直ぐ正面に流れる空気流は殆ど生じず、中央縦フィン２７により良好に空気流が斜め左側にガイドされ、送風される。
【００７１】
一方、突出側補助縦フィン２９は、右側に回動して、その下流側端部を流路５の内側に迫り出すように動作し、フィンの先端を中央縦フィン２７の左面に当接させる如く接近する。これにより、流路５の側壁面と突出側補助縦フィン２９近傍を真直ぐ正面に流れる空気流が阻止され、中央縦フィン２７に沿って左側に向けて送風される空気流は影響を受けない。
【００７２】
このため、中央縦フィン２７を左側に振ったときも、通常の３枚の横フィンを設けたレジスタのように、中央縦フィン２７に沿って流れる空気流は乱されることなく良好に流れ、右側（後退側）に傾斜した空気吹出口２６を有するレジスタであっても、前可動ルーバ２３の中央縦フィン２７を左側（突出側）に振ったときの風の指向性を大幅に向上させることができる。
【００７３】
なお、上記実施形態では、中央横フィン７または中央縦フィン２７の回動に従動して、上補助横フィン８と下補助横フィン９または後退側補助縦フィン２８と突出側補助縦フィン２９を流路５の内側に迫り出すように傾動させる動きを、クランク１１、第１カム部材１３、第２カム部材１４を用いたフィン回動機構１０により実現したが、他のリンク機構、カム機構、あるいはモータ駆動機構などを用いて上記上補助横フィン８と下補助横フィン９または後退側補助縦フィン２８と突出側補助縦フィン２９の動きを実現することもできる。
【００７４】
また、上記実施形態では、長方形の空気吹出口１５、２６としたが、必ずしも長方形とはせずに、楕円形のような細長い異形形状の空気吹出口とすることもできる。
【００７５】
また、上補助横フィン８と下補助横フィン９または後退側補助縦フィン２８と突出側補助縦フィン２９を収納する収納凹部６ａ、６ｂは、段差をつけた段差状凹部としたが、上補助横フィン８と下補助横フィン９または後退側補助縦フィン２８と突出側補助縦フィン２９を収納できる凹部であれば、凹状曲面を有した凹部などその形状は任意である。
【００７６】
また、上記図７，８の空気吹出口２６は、向かって右側の側部を上流側に後退させ左側の側部を下流側に突き出すように傾斜させたが、それとは逆に、向かって左側の側部を上流側に後退させ右側の側部を下流側に突き出すように傾斜させて空気吹出口を形成することもでき、この場合、上記前可動ルーバの後退側補助縦フィンと突出側補助縦フィンの左右の位置関係は、上記とは逆になる。
【００７７】
図９〜図１２は第３実施形態のレジスタを示している。このレジスタは、第１実施形態のレジスタと同様、図９に示すように、水平横方向に長く上下縦方向に短い細長の空気吹出口４５を有した薄型レジスタであり、空気吹出口４５の内側前部に水平横方向に沿って前可動ルーバ３３が配設され、空気吹出口４５は上部を上流側に後退させ下部を下流側に突き出すように傾斜して形成される。なお、上記実施形態と同様な部分については、上記と同様の符号を図に付してその説明を省略する。
【００７８】
前可動ルーバ３３は、図９に示すように、１枚の中央横フィン３７を空気吹出口４５内側の略上下中央に水平横方向に向け回動可能に軸支する一方、空気吹出口４５内側の上壁面に設けた収納凹部３６ａに上補助横フィン３８を収納可能に且つ水平横方向に向けて回動可能に軸支し、空気吹出口４５内側の下壁面に設けた収納凹部３６ｂに下補助横フィン３９を収納可能に水平横方向に向けて回動可能に軸支して構成される。中央横フィン３７は下流側端部の両側に設けた支軸３７ａにより回動可能に軸支され、上補助横フィン３８及び下補助横フィン３９はその下流側端部を流路側に迫り出すように、上流側端部の両側に突設した支軸３８ａ，３９ａにより回動可能に軸支される。
【００７９】
レジスタの正面部を構成するベゼル３１には、横長長方形の空気吹出口４５が形成され、この空気吹出口４５は、図１０に示すように、その上部を上流側に後退させ下部を下流側に突き出すように傾斜して形成される。つまり、この薄型レジスタの空気吹出口４５の前面は、その短手方向の垂直面に対し斜め下側に約３０度の角度で傾斜し、所謂スラント形状となっている。
【００８０】
ベゼル３１の背面側にはリテーナ３２に連結するための嵌合部が設けられ、その嵌合部にダクト状のリテーナ３２が嵌合・接続される。ベゼル３１の空気吹出口４５内側の左右側壁には、前可動ルーバ３３用の軸受部が形成され、両側の軸受部には、前可動ルーバ３３の中央横フィン３７の両側端部に突出した支軸３７ａが支持され、同様に、上補助横フィン３８の両側端部に突出した支軸３８ａ、及び下補助横フィン３９の両側に突出した支軸３９ａが、各々支持され、中央横フィン３７、上補助横フィン３８、及び下補助横フィン３９は所定の角度範囲で上下に回動可能となっている。
【００８１】
リテーナ３２は、空気吹出口４５と同様の横長で長方形状の横断面を有するダクト状に形成され、内部に通風用の流路３５が形成されている。リテーナ３２の下流側縁部の上壁と下壁に軸受部が所定間隔で形成され、図１０に示すように、それらの軸受部に後可動ルーバ３４の縦フィン３４ａが支軸３４ｂにより軸支され、各縦フィン４ａは所定の角度範囲で左右に連動して回動するようになっている。このリテーナ３２の前部に、正面に略長方形の空気吹出口４５を開口形成したベゼル３１が、その空気吹出口４５を流路３５の開口部に合わせた状態で嵌着され、流路３５はリテーナ３２内からベゼル３１の空気吹出口４５まで連通して形成される。
【００８２】
前可動ルーバ３３は、上下に回動調整可能な１枚の中央横フィン３７と、中央横フィン３７の上方と下方位置に配設され、中央横フィン３７の回動操作に応じて上下に回動する上補助横フィン３８及び下補助横フィン３９と、中央横フィン３７の回動に連動して上補助横フィン３８及び下補助横フィン３９を回動させるフィン回動機構４０（図９）と、を備えて構成される。
【００８３】
中央横フィン３７は、両端に支軸３７ａを突設し、図９、１０に示すように、一方の支軸３７ａは流路３５の側壁を貫通して外側に突出し、その支軸３７ａの先端にクランク１１が軸着される。中央横フィン３７の支軸３７ａは平面視でフィンの前端部近傍に位置し、上補助横フィン３８及び下補助横フィン３９の支軸３８ａ，３９ａの位置は、平面視で各フィンの上流側端部近傍に位置している。
【００８４】
また、図１１のように、中央横フィン３７を上方に振った（回動した）とき、上補助横フィン８及び下補助横フィン９がその下流側端部が流路３５側に迫り出すように回動し、且つ、下補助横フィン３９は中央横フィン３７と平行となり相互に接近して一枚の大形フィンとして機能するようになっている。つまり、央横フィン３７を斜め上方に振ったとき、下補助横フィン３９が中央横フィン３７と平行となり且つ下補助横フィン３９の前部が中央横フィン３７の後部に接近する形態となって、１枚の大型フィンとして機能するようになっている。
【００８５】
また、図１２のように、中央横フィン３７を下方に振った（回動した）とき、上補助横フィン８及び下補助横フィン９がその下流側端部が流路３５側に迫り出すように回動し、且つ、上補助横フィン３８が中央横フィン３７と平行となり相互に接近して一枚の大形フィンとして機能するようになっている。
【００８６】
図１０に示すように、上補助横フィン３８は流路３５内の上壁面に近接して配置される一方、その上壁面には収納凹部３６ａが形成され、その収納凹部３６ａ内に上補助横フィン３８が水平状態で収納され隠れるようになっている。また、下補助横フィン３９は流路３５内の下壁面に近接して配置される一方、その下壁面には収納凹部３６ｂが形成され、その収納凹部３６ｂ内に下補助横フィン３９が水平状態で収納され隠れる構造である。上補助横フィン３８と下補助横フィン３９はその前後方向の幅が、中央横フィン７の前後方向の幅より短く形成される。
【００８７】
つまり、中央横フィン３７の前後幅は上補助横フィン３８、下補助横フィン３９の前後幅より幅広に形成され、中央横フィン３７は、その平面視で、その上流側端部が上補助横フィン３８に重なり合い、中央横フィン３７の下流側端部が下補助横フィン３９に重なり合う。また、上補助横フィン８と下補助横フィン３９は中央横フィン３７の上方または下方位置で、水平状態からその下流側端部を流路３５側に迫り出すように回動する。
【００８８】
さらに、図１０に示すように、上補助横フィン３８の支軸３８ａは上補助横フィン３８の上流側端部近傍の両側に突設され、下補助横フィン３９の支軸３９ａは下補助横フィン３９の上流側端部近傍の両側に突設される。中央横フィン３７の支軸３７ａは、その下流側端部近傍（前部側）に位置し、支軸３８ａ，３８ａが上流側端部（後部側）に位置する上補助横フィン３８及び下補助横フィン３９の支軸とは相反側に位置している。
【００８９】
中央横フィン３７を上方にまたは下方に振ったとき、上補助横フィン３８と下補助横フィン３９が上記の如く連動して回動するために、図９に示す如く、ベゼル３１の左側面外側にフィン回動機構４０が設けられる。このフィン回動機構４０は、上記第１実施形態のフィン回動機構１０（図４）と同様な構造を有し、図９に示すように、中央横フィン３７の支軸３７ａに軸着されたクランク４１と、上補助横フィン３８の支軸３８ａに軸着された第１カム部材４３と、下補助横フィン３９の支軸３９ａに軸着された第２カム部材４４とから構成される。
【００９０】
フィン回動機構４０の動作により連動して回動する上補助横フィン３８と下補助横フィン３９は、中央横フィン３７の上下方向の向きを、図９、１０のように真直ぐ正面を向けて水平方向としたとき、クランク４１、第１カム部材４３、第２カム部材４４の作用により、水平姿勢となって各々収納凹部３６ａ、３６ｂに収納された状態となる。
【００９１】
一方、中央横フィン３７を図１１のように上側に回動させたとき、つまり中央横フィン３７の向きを上方に振ったとき、上補助横フィン３８が下側に迫り出すように回動し、下補助横フィン３９が上側に回動して中央横フィン３７と平行になるとともに下補助横フィン３９の前端部が中央横フィン３７の後端部に接近するように回動し、１枚の大形フィンとして機能するようになる。
【００９２】
他方、中央横フィン３７を図１２のように下側に回動させたとき、つまり中央横フィン３７の向きを下方に振ったとき、下補助横フィン３９が下側に迫り出すように回動し、上補助横フィン３８が下側に回動して中央横フィン３７と平行になるとともに上補助横フィン３８の前端部が中央横フィン３７の後端部に接近するように回動し、１枚の大形フィンとして機能するようになる。
【００９３】
前可動ルーバ３３の上流側の流路３５内に後可動ルーバ３４が配設される。後可動ルーバ３４には、複数の縦フィン３４ａが左右に一定の間隔をおいて縦に並設される。各縦フィン３４ａは上部と下部に支軸３４ｂが突設され、上下の支軸３４ｂは流路３５の上壁と下壁に設けた軸受部に軸支され、左右に回動可能に支持されている。
【００９４】
上記中央横フィン３７には、図９、１０に示すように、操作ノブ４６が左右長手方向に摺動可能に外嵌され、操作ノブ４６を把持して中央横フィン３７を上下方向に回動操作可能とし、且つ操作ノブ３６を左右方向に摺動させることにより、後可動ルーバ３４を左右に振って、左右への風向を変える構造となっている。
【００９５】
このために、操作ノブ４６の後部には、後可動ルーバ３４の１枚の縦フィン３４ａに係合する係合部が設けられ、その縦フィン３４ａを含む全ての縦フィン３４ａの支軸３４ｂには、図示しないクランクが軸着され、各クランクのクランク軸が１本のリンクバーにより相互に連結される。これにより、操作ノブ４６を中央横フィン３７上で左右に摺動させたとき、後可動ルーバ３４の各縦フィン３４ａが連動して左右に回動し、風向を左右に調整する構造である。
【００９６】
次に、上記構成のレジスタの動作を説明すると、レジスタの正面に真直ぐ送風を行なう場合、図１０のように、前可動ルーバ３３の中央横フィン３７は水平状態つまり真直ぐ前方を向く状態とする。
【００９７】
この状態では、上補助横フィン３８と下補助横フィン３９は共に水平状態を保持し、流路３５の上壁面と下壁面の収納凹部３６ａ、３６ｂ内に収納され隠れた状態となっている。したがって、流路３５を流れる空気流は、上補助横フィン３８と下補助横フィン３９による空気抵抗を殆ど受けることなく、中央横フィン３７の向く水平前方向に、非常に少ない圧力損失で送風される。これにより、通常の３枚の横フィンを空気吹出口に並設したレジスタに比べ、水平調整時の圧力損失を少なくすることができる。
【００９８】
一方、操作ノブ４６を操作して、図１１のように、中央横フィン３７を上向きに回動させ斜め上方に向けると、フィン回動機構４０のクランク４１、第１カム部材４３及び第２カム部材４４の動作により、上補助横フィン３８と下補助横フィン３９が、その下流側端部を流路３５の内側に迫り出すように回動し、上補助横フィン３８は斜め下方を向き、下補助横フィン３９は斜め上方を向くよう回動する。
【００９９】
このとき、図１１のように、下補助横フィン３９は、斜め上方を向く中央横フィン３７に対し略平行となり、その前端部が中央横フィン３７の後端部に接近し（または接触し）、下補助横フィン３９と中央横フィン３７は一体となって、一枚の大形のフィンとして機能する状態となる。
【０１００】
これにより、流路３５から空気吹出口４５に向かって流れる空気流は、図１１に示すように、大形フィンとして機能する下補助横フィン３９と中央横フィン３７によって良好にガイドされ、斜め上方に送風されることとなる。またこのとき、流路３５の上部を流れる空気流は、上補助横フィン３８が斜め下方に迫り出すため、中央横フィン３７の上面近傍に風が押し付けられるように集められ、これにより、効率良く空気流が中央横フィン３７に沿って流れる状態となり、中央横フィン３７の向く斜め上方に向けて良好に送風が行なわれる。
【０１０１】
また、上補助横フィン３８は収納凹部３６ａから流路３５側に斜め下方に迫り出す状態となり、下補助横フィン３９は中央横フィン３７と一体化するので、流路３５を真直ぐ正面に流れる空気流は殆ど生じず、中央横フィン３７により空気流が斜め上方に良好にガイドされることとなる。
【０１０２】
他方、図１２のように、操作ノブ４６を操作して中央横フィン３７を下向きに回動させ斜め下方に向けると、フィン回動機構４０のクランク４１、第１カム部材４３及び第２カム部材４４の動作により、上補助横フィン３８と下補助横フィン３９が、その下流側端部を流路３５の内側に迫り出すように回動する。
【０１０３】
このとき、図１２のように、上補助横フィン３８は中央横フィン３７に対し平行となるとともに、その前端部が中央横フィン３７の後端部近傍に接近し（または接触し）、上補助横フィン３８と中央横フィン３７は一体となって、一枚の大形のフィンとして機能する状態となる。
【０１０４】
これにより、流路３５から空気吹出口４５に向かって流れる空気流は、図１２に示すように、大形フィンとして機能する上補助横フィン３８と中央横フィン３７によって良好にガイドされ、斜め下方に送風されることとなる。またこのとき、流路３５の下部を流れる空気流は、下補助横フィン３９が斜め上方に迫り出すため、中央横フィン３７の下面近傍に風が押し付けられるように集められ、これにより、図１２のように、効率良く空気流が中央横フィン３７に沿って流れる状態となり、中央横フィン３７の向く斜め下方に向けて良好に送風が行なわれる。
【０１０５】
またこのとき、下補助横フィン３９は収納凹部３６ｂから流路３５側に斜め上方に迫り出す状態となり、上補助横フィン３８は中央横フィン３７と一体化するので、流路３５を真直ぐ正面に流れる空気流は殆ど生じず、中央横フィン３７により空気流が斜め上方に良好にガイドされることとなる。
【０１０６】
このように、中央横フィン３７を下方に振ったとき、通常の３枚の横フィンを設けたレジスタのように、中央横フィン３７に沿って流れる空気流が乱されることがなくなり、下側に傾斜した空気吹出口４５を有するレジスタであっても、前可動ルーバ３３の中央横フィン３７を下に振ったときの風の指向性を大幅に向上させることができる。
【０１０７】
また、中央横フィン３７の支軸３７ａは下流側端部に位置するので、中央横フィン３７を上下に振った際、正面側に現れて変化する部位が少なく、これによりレジスタの見栄えが良好となる。また、中央横フィン３７の支軸３７ａが下流側端部に位置するため、中央横フィン３７に摺動可能に装着された操作ノブ４６の前方への突出長を長くすることができ、これにより、操作ノブ４６の操作性を良くすることができる。
【０１０８】
図１３、図１４は第４実施形態のレジスタを示している。このレジスタは、同図に示すように、その前面形状を、第３実施形態のレジスタを９０度横転させた形状とし、上下縦方向に長く水平横方向に短い縦長の長方形状の空気吹出口６５を有し、空気吹出口６５の内側前部に、上下縦方向に沿って前可動ルーバ５３が配設され、空気吹出口５６は一方（右側）の側部を上流側に後退させ他方（左側）の側部を下流側に突き出すように傾斜している。なお、上記レジスタと同様な構成部分については、図に上記と同じ符号を付してその説明は省略する。
【０１０９】
図１３，１４に示す如く、前可動ルーバ５３は１枚の中央縦フィン５７を空気吹出口６５内側の略左右中央に、上下縦方向に向けて支軸５７ａにより回動可能に軸支している。さらに、空気吹出口６５内側の後退側の側壁面には収納凹部５６ａが設けられ、後退側補助縦フィン５８が収納凹部５６ａ内に収納可能に且つ上下縦方向に向けて支軸５８ａにより回動可能に軸支される。
【０１１０】
同様に、空気吹出口６５内側の突出側の側壁面に収納凹部５６ｂが設けられ、突出側補助縦フィン５９が収納凹部５６ｂ内に収納可能に、上下縦方向に向けて支軸５９ａにより回動可能に軸支される。中央縦フィン５７は空気吹出口６５の略左右中央で、上部と下部に突設した支軸５７ａにより、回動可能に軸支される。
【０１１１】
後退側補助縦フィン５８及び突出側補助縦フィン５９は、その上流側端部に設けた支軸５８ａ，５９ａにより、その下流側端部を流路５５側に迫り出すように回動可能に軸支される。特に、中央縦フィン５７を右側つまり空気吹出口６５の後退側に振ったとき、後退側補助縦フィン５８はその下流側端部を流路３５側に向けて迫り出すとともに、中央縦フィン５７に対し平行状態となり且つ後退側補助縦フィン５８の前縁部が中央縦フィン５７の後縁部に接近して（または接触して）、大形の一枚のフィンとして機能する状態となる。また、反対側の突出側補助縦フィン５９はその下流側端部を流路３５側に向けて迫り出し、空気流を中央縦フィン５７側に押し付ける方向にガイドする構造となっている。
【０１１２】
同様に、中央縦フィン５７を左側つまり空気吹出口６５の突出側に振ったとき、突出側補助縦フィン５９はその下流側端部を流路３５側に向けて迫り出すとともに、中央縦フィン５７と平行状態となり且つ突出側補助縦フィン５９の前縁部が中央縦フィン５７の後縁部に接近して（または接触して）大形の一枚のフィンとして機能する状態となる。またこのとき、後退側補助縦フィン５８はその下流側端部を流路３５側に向けて迫り出し、空気流を中央縦フィン５７側に押し付けて流す構造となっている。
【０１１３】
中央縦フィン５７には操作ノブ６６が上下長手方向に摺動可能に外嵌されている。操作ノブ６６は中央縦フィン５７を回動させてその向きを左右に変え、後可動ルーバ３４を回動させてその向きを上下に変える。このために、操作ノブ６６の後部には、上記と同様に、ラック部が設けられ、上流側の後可動ルーバ３４の横フィンに、ラック部と噛合する扇形歯部が設けられる。複数の横フィンは水平横方向の支軸により回動可能に軸支され、各横フィンはリンクバーにより連結され、同期連動して回動する。このような構成の後可動ルーバ３４は、操作ノブ６６の上下動操作により、上流側後部の後可動ルーバ３４が上下に向きを変える構造である。
【０１１４】
中央縦フィン５７の支軸５７ａはフィンの前部つまり下流側端部近傍に位置するので、中央縦フィン５７を回動させたとき、その後部上流側を大きく振ることができ、これにより、送風調整時の指向性を良くすることができる。また、中央縦フィン５７の支軸５７ａが下流側前部に位置するので、中央縦フィン５７を左右に振った際、正面側に現れて変化する部位が少なく、これによりレジスタの見栄えが良好となる。また、中央縦フィン５７の支軸５７ａが下流側前部に位置するため、中央縦フィン５７に摺動可能に装着された操作ノブ６６の前方への突出長を長くすることができ、これにより、操作ノブの操作性を良くすることができる。
【０１１５】
次に、上記構成のレジスタの動作を説明すると、レジスタの正面に真直ぐ送風を行なう場合、前可動ルーバ５３の中央縦フィン５７は真直ぐ前方を向く状態とする。この状態では、後退側補助縦フィン５８と突出側補助縦フィン５９は共に流路の側壁と平行な状態を保持し、収納凹部５６ａ、５６ｂ内に収納され隠れた状態となっている。したがって、流路３５を流れる空気流は、後退側補助縦フィン５８と突出側補助縦フィン５９による空気抵抗を殆ど受けることなく、中央縦フィン５７の向く垂直前方向に、非常に少ない圧力損失で送風される。これにより、通常の３枚の横フィンを空気吹出口に並設したレジスタに比べ、圧力損失を少なくすることができる。
【０１１６】
一方、操作ノブ６６を操作して、中央縦フィン５７を空気吹出口６５の後退側に向けると、フィン回動機構７０のクランク７１、第１カム部材７３及び第２カム部材７４の動作により、後退側補助縦フィン５８と突出側補助縦フィン５９が、その下流側端部を流路３５の内側に迫り出すように回動し、後退側補助縦フィン５８は斜め左を向き、突出側補助縦フィン５９は斜め右を向くよう回動する。
【０１１７】
このとき、突出側補助縦フィン５９は、斜め右を向く中央縦フィン５７に対し略平行となり、その前端部が中央縦フィン５７の後端部に接近し（または接触し）、突出側補助縦フィン５９と中央縦フィン５７は一体となって、一枚の大形のフィンとして機能する状態となる。
【０１１８】
これにより、流路３５から空気吹出口６５に向かって流れる空気流は、図１４に示すように、大形フィンとして機能する突出側補助縦フィン５９と中央縦フィン５７によって良好にガイドされ、斜め右側に送風されることとなる。またこのとき、流路３５の右側を流れる空気流は、後退側補助縦フィン５８が流路中央側に迫り出すため、中央縦フィン５７の側面近傍に風が押し付けられるように集められ、これにより、効率良く空気流が中央縦フィン５７に沿って流れる状態となり、中央縦フィン５７の向く斜め右方に向けて良好に送風が行なわれる。
【０１１９】
またこのとき、突出側補助縦フィン５９は収納凹部５６ｂから流路３５側に斜め右側に迫り出す状態となり、突出側補助縦フィン５９と中央縦フィン５７は接近して一体化し、大形のフィンとなるように機能し、中央縦フィン５７と突出側補助縦フィン５９により空気流が右側に良好にガイドされることとなる。
【０１２０】
他方、操作ノブ６６を操作して中央縦フィン５７を空気吹出口６５の突出側（左側）に回動操作すると、フィン回動機構７０のクランク７１、第１カム部材７３及び第２カム部材７４の動作により、後退側補助縦フィン５８と突出側補助縦フィン５９が、その下流側端部を流路３５の内側に迫り出すように回動する。
【０１２１】
このとき、図１４のように、後退側補助縦フィン５８は中央縦フィン５７に対し平行となるとともに、その前端部が中央縦フィン５７の後端部近傍に接近し（または接触し）、後退側補助縦フィン５８と中央縦フィン５７は一体となって、一枚の大形のフィンとして機能する状態となる。
【０１２２】
これにより、流路３５から空気吹出口６５に向かって流れる空気流は、図１４に示すように、大形フィンとして機能する後退側補助縦フィン５８と中央縦フィン５７によって良好にガイドされ、斜め左側に送風されることとなる。またこのとき、流路３５内左側を流れる空気流は、突出側補助縦フィン５９が流路中央側に迫り出すため、中央縦フィン５７の側面近傍に風が押し付けられるように集められ、これにより、効率良く空気流が中央縦フィン５７に沿って流れる状態となり、中央縦フィン５７の向く斜め左方に向けて良好に送風が行なわれる。
【０１２３】
このように、中央縦フィン５７を左右に振ったとき、通常の３枚の横フィンを設けたレジスタのように、中央縦フィン５７に沿って流れる空気流が乱されることがなくなり、左右の短手方向に傾斜した空気吹出口６５を有する薄型レジスタであっても、前可動ルーバ５３の中央縦フィン５７を左右に振ったときの風の指向性を大幅に向上させることができる。
【０１２４】
また、中央縦フィン５７の支軸５７ａは下流側端部に位置するので、中央縦フィン５７を左右に振った際、正面側に現れて変化する部位が少なく、これによりレジスタの見栄えが良好となる。また、中央縦フィン５７の支軸５７ａが下流側端部に位置するため、中央縦フィン５７に摺動可能に装着された操作ノブ６６の前方への突出長を長くすることができ、これにより、操作ノブ６６の操作性を良くすることができる。
【符号の説明】
【０１２５】
１      ベゼル
２      リテーナ
３      前可動ルーバ
４      後可動ルーバ
４ａ    縦フィン
４ｂ    支軸
５      流路
６ａ    収納凹部
６ｂ    収納凹部
７      中央横フィン
７ａ    支軸
８      上補助横フィン
８ａ    支軸
９      下補助横フィン
９ａ    支軸
１０    フィン回動機構
１１    クランク
１２    クランク軸
１３    第１カム部材
１３ａ  カム溝
１４    第２カム部材
１４ａ  カム溝
１５    空気吹出口
１６    操作ノブ
１６ａ  ラック部
１６ｂ  歯車部
２３    前可動ルーバ
２６    空気吹出口
２７    中央縦フィン
２７ａ  支軸
２８    後退側補助縦フィン
２８ａ  支軸
２９    突出側補助縦フィン
２９ａ  支軸
３１    ベゼル
３２    リテーナ
３３    前可動ルーバ
３４    後可動ルーバ
３４ａ  縦フィン
３４ｂ  支軸
３５    流路
３６    操作ノブ
３６ａ  収納凹部
３６ｂ  収納凹部
３７    中央横フィン
３７ａ  支軸
３８    上補助横フィン
３８ａ  支軸
３９    下補助横フィン
３９ａ  支軸
４０    フィン回動機構
４５    空気吹出口
４６    操作ノブ
５３    前可動ルーバ
５５    流路
５６    空気吹出口
５６ａ  収納凹部
５６ｂ  収納凹部
５７    中央縦フィン
５７ａ  支軸
５８    後退側補助縦フィン
５８ａ  支軸
５９    突出側補助縦フィン
５９ａ  支軸
６５    空気吹出口
６６    操作ノブ
【図１】
0005922671.tif 000002
【図２】
0005922671.tif 000003
【図３】
0005922671.tif 000004
【図４】
0005922671.tif 000005
【図５】
0005922671.tif 000006
【図６】
0005922671.tif 000007
【図７】
0005922671.tif 000008
【図８】
0005922671.tif 000009
【図９】
0005922671.tif 000010
【図１０】
0005922671.tif 000011
【図１１】
0005922671.tif 000012
【図１２】
0005922671.tif 000013
【図１３】
0005922671.tif 000014
【図１４】
0005922671.tif 000015